(57)【要約】      （修正有）【課題】昇降路内にガイドレールをより確実に固定することができるエレベータ用ガイドレール固定装置を提供する。【解決手段】各レールブラケット４には、長穴４ａ，４ｂが設けられている。長穴４ａ，４ｂは、各レールブラケット４を貫通している。また、長穴４ａ，４ｂの断面の長径方向は、第１及び第２のガイドレール５他の幅方向に平行となっている。長穴４ａ，４ｂは、ボルト貫通部と回り止め部とで構成されている。ボルト貫通部及び回り止め部は、長穴４ａ，４ｂの断面の長径方向の半分ずつに構成されている。【選択図】図２
2010064803.tif 000002
【特許請求の範囲】
【請求項１】
昇降路壁に設けられているレールブラケット、
上記レールブラケットとの間にガイドレールを挟み込んでいるレールクリップ、
上記レールクリップ及び上記レールブラケットに通されているボルト、及び
上記ボルトに螺着されているナット
を備え、
上記レールブラケットには、上記ボルト及び上記ナットの締め付けによる上記レールクリップの回転を規制する回り止め部が設けられていることを特徴とするエレベータ用ガイドレール固定装置。
【請求項２】
上記レールクリップは、突起部を有し、
上記回り止め部は、上記突起部が挿入される穴であることを特徴とする請求項１記載のエレベータ用ガイドレール固定装置。
【請求項３】
上記突起部の外周面には、上記ボルト及び上記ナットの締め付けにより上記穴の内周面に圧接される勾配部が設けられていることを特徴とする請求項２記載のエレベータ用ガイドレール固定装置。
【発明の詳細な説明】
【技術分野】
【０００１】
この発明は、かごや釣合重りの昇降を案内するガイドレールを昇降路内に固定するエレベータ用ガイドレール固定装置に関するものである。
【背景技術】
【０００２】
従来のエレベータ用ガイドレール固定装置では、レールブラケットと複数のレールクリップとの間にガイドレールが挟み込まれており、ボルト及びナットを締め付けることによりレールブラケットにガイドレールが固定されている（例えば、特許文献１参照）。
【０００３】
【特許文献１】特開２００５−２３１９０号公報
【発明の開示】
【発明が解決しようとする課題】
【０００４】
上記のように構成された従来のエレベータ用ガイドレール固定装置では、レールブラケットの平面部にレールクリップの端部が当接されているだけなので、ボルト及びナットの締め付けによりレールクリップが共回りしてしまい、昇降路内にガイドレールを確実に固定することが難しかった。
【０００５】
この発明は、上記のような課題を解決するためになされたものであり、昇降路内にガイドレールをより確実に固定することができるエレベータ用ガイドレール固定装置を得ることを目的とする。
【課題を解決するための手段】
【０００６】
この発明に係るエレベータ用ガイドレール固定装置は、昇降路壁に設けられているレールブラケット、レールブラケットとの間にガイドレールを挟み込んでいるレールクリップ、レールクリップ及びレールブラケットに通されているボルト、及びボルトに螺着されているナットを備え、レールブラケットには、ボルト及びナットの締め付けによるレールクリップの回転を規制する回り止め部が設けられている。
【発明の効果】
【０００７】
この発明のエレベータ用ガイドレール固定装置は、ボルト及びナットの締め付けによるレールクリップの回転を規制する回り止め部がレールブラケットに設けられているので、ボルト及びナットを締め付ける際にレールクリップがガイドレールに対して傾かなくなり、昇降路内にガイドレールをより確実に固定することができる。
【発明を実施するための最良の形態】
【０００８】
以下、この発明を実施するための最良の形態について、図面を参照して説明する。
実施の形態１．
図１はこの発明の実施の形態１によるエレベータの要部を示す構成図である。かご（図示せず）及び釣合重り１は、複数本のロープ２によって昇降路３内に吊り下げられている。ロープ２は、巻上機（図示せず）の駆動シーブに巻き掛けられている。かご及び釣合重り１は、巻上機によって昇降路３内を昇降される。
【０００９】
昇降路３内の側壁には、断面Ｌ字形の複数のレールブラケット４が設けられている。各レールブラケット４には、第１及び第２のガイドレール５，６が固定されている。釣合重り１は、第１及び第２のガイドレール５，６に沿って昇降される。昇降路３の下部には、緩衝器台７が設けられている。緩衝器台７の上部には、緩衝器８が設けられている。
【００１０】
図２は図１のＩＩ−ＩＩ線に沿う一部断面図、図３は図２のＩＩＩ−ＩＩＩ線に沿う断面図である。各レールブラケット４には、長穴４ａ，４ｂが設けられている。長穴４ａ，４ｂは、各レールブラケット４を貫通している。また、長穴４ａ，４ｂの断面の長径方向は、第１及び第２のガイドレール５，６の幅方向に平行となっている。長穴４ａ，４ｂは、ボルト貫通部９ａ，９ｂと回り止め部１０ａ，１０ｂとで構成されている。ボルト貫通部９ａ，９ｂ及び回り止め部１０ａ，１０ｂは、長穴４ａ，４ｂの断面の長径方向の半分ずつに構成されている。
【００１１】
第１のガイドレール５には、第１及び第２のレールクリップ１１，１２の一端部が係合されている。第１及び第２のレールクリップ１１，１２の他端部には、断面半円状の突起部１１ａ，１２ａが設けられている。突起部１１ａ，１２ａは、回り止め部１０ａ，１０ｂに挿入されている。
【００１２】
第１及び第２のレールクリップ１１，１２には、貫通孔（図示せず）が設けられている。貫通孔及びボルト貫通部９ａ，９ｂには、固定用ボルト１３ａ，１３ｂが通されている。固定用ボルト１３ａ，１３ｂには、固定用ナット１４ａ，１４ｂが螺着されている。
【００１３】
回り止め部１０ａ，１０ｂは、固定用ボルト１３ａ，１３ｂ及び固定用ナット１４ａ，１４ｂの締め付けによる第１及び第２のレールクリップ１１，１２の回転を規制する。
【００１４】
第１のガイドレール５は、固定用ボルト１３ａ，１３ｂ及び固定用ナット１４ａ，１４ｂを締め付けることにより、レールブラケット４と第１及び第２のレールクリップ１１，１２との間に挟持され、レールブラケット４に固定されている。
【００１５】
このようなエレベータ用ガイドレール固定装置では、回り止め部１０ａ，１０ｂが各レールブラケット４に設けられているので、固定用ボルト１３ａ，１３ｂ及び固定用ナット１４ａ，１４ｂの締め付けによる第１及び第２のレールクリップ１１，１２の共回りを防止し、第１及び第２のレールクリップ１１，１２が第１及び第２のガイドレール５，６に対して傾かなくなり、昇降路３内に第１及び第２のガイドレール５，６をより確実に固定することができる。
【００１６】
実施の形態２．
次に、図４はこの発明の実施の形態２によるエレベータ用ガイドレール固定装置を一部断面で示す平面図、図５は図４のＶ−Ｖ線に沿う断面図である。突起部１１ａ，１２ａの固定用ボルト１３ａ，１３ｂに対向する面とは反対側の曲面には、回り止め部１０ａ，１０ｂの内周面に対して傾斜した勾配部１１ｂ，１２ｂ（傾斜面）が設けられている。勾配部１１ｂ，１２ｂは、突起部１１ａ，１２ａの先端部から基端部へ向けて回り止め部１０ａ，１０ｂの内周面に徐々に近づく方向へ傾斜されている。また、勾配部１１ｂ，１２ｂは、突起部１１ａ，１２ａを回り止め部１０ａ，１０ｂに挿入し、固定用ボルト１３ａ，１３ｂ及び固定用ナット１４ａ，１４ｂを締め付けることにより、回り止め部１０ａ，１０ｂの内周面に圧接される。他の構成は、実施の形態１と同様である。
【００１７】
このようなエレベータ用ガイドレール固定装置では、固定用ボルト１３ａ，１３ｂ及び固定用ナット１４ａ，１４ｂを締め付けることにより、回り止め部１０ａ，１０ｂの内周面に圧接される勾配部１１ｂ，１２ｂが突起部１１ａ，１２ａの固定用ボルト１３ａ，１３ｂに対向する面とは反対側の曲面に設けられているので、突起部１１ａ，１２ａと回り止め部１０ａ，１０ｂとの間の隙間が塞がれ、固定用ボルト１３ａ，１３ｂ及び固定用ナット１４ａ，１４ｂの締め付けによる第１及び第２のガイドレール５，６に対する第１及び第２のレールクリップ１１，１２の傾きの発生をより確実に防止することができる。
【００１８】
なお、上記の例では、回り止め部１０ａ，１０ｂがレールブラケット４を貫通しているが、必ずしも回り止め部１０ａ，１０ｂがレールブラケット４を貫通しなくてもよい。
また、上記の例では、回り止め部１０ａ，１０ｂが長穴４ａ，４ｂの一部であるが、回り止め部１０ａ，１０ｂは突起部でもよい。この突起部は、１つでも複数でもよい。
さらに、上記の例では、ボルト貫通部９ａ，９ｂと回り止め部１０ａ，１０ｂとがつながっているが、回り止め部１０ａ，１０ｂはボルト貫通部９ａ，９ｂから間隔をおいて設けてもよい。
【図面の簡単な説明】
【００１９】
【図１】この発明の実施の形態１によるエレベータの要部を示す構成図である。
【図２】図１のＩＩ−ＩＩ線に沿う一部断面図である。
【図３】図２のＩＩＩ−ＩＩＩ線に沿う断面図である。
【図４】この発明の実施の形態２によるエレベータ用ガイドレール固定装置を一部断面で示す平面図である。
【図５】図４のＶ−Ｖ線に沿う断面図である。
【符号の説明】
【００２０】
４  レールブラケット、５  第１のガイドレール、６  第２のガイドレール、１０ａ，１０ｂ  回り止め部、１１  第１のレールクリップ、１２  第２のレールクリップ、１１ａ，１２ａ  突起部、１１ｂ，１２ｂ  勾配部、１３ａ，１３ｂ  固定用ボルト、１４ａ，１４ｂ  固定用ナット。
【図１】
2010064803.tif 000003
【図２】
2010064803.tif 000004
【図３】
2010064803.tif 000005
【図４】
2010064803.tif 000006
【図５】
2010064803.tif 000007